(57)【要約】【課題】電動折り畳みベッドにおいて、背支え部の下降動作の過程において、背支え部とベッドフレームとの間に使用者の身体が挟まれて怪我をする事故を防止すること。【解決手段】本発明の電動折り畳みベッドは、昇降アクチュエーター（３２０）による下降力に対して背支え部（２２０）に昇降隙間を確保させる背支え挟み防止手段（１０）を備える。これによって、背支え部（２２０）の下降過程において背支え部（２２０）とベッドフレーム（１２０）との間に使用者が挟まれた時、背支え部（２２０）の下部に空間を確保でき、使用者の怪我を防止することができる。【選択図】図３
2009233295.tif 000002
【特許請求の範囲】
【請求項１】
中央支持台（１１０）と、
前記中央支持台（１１０）の両側に、折り畳みバネ（２３０）によって弾性的に折り畳み可能に結合されるベッドフレーム（１２０）と、
前記両ベッドフレーム（１２０）の上部にそれぞれ配されるベッド部（２１０）及び背支え部（２２０）と、
前記ベッドフレーム（１２０）の下部に設けられた支持脚（１３０）と、
前記背支え部（２２０）の背面に設置された昇降アーム（３１０）と、
前記昇降アーム（３１０）と連結されて、前記背支え部（２２０）を昇降動作させる昇降アクチュエーター３２０と、
前記昇降アクチュエーター（３２０）の動作を制御する昇降操作具（３３０）と、
を備え、
前記昇降アクチュエーター（３２０）は、
出没可動機（３２３）を備えたアクチュエーター本体（３２２）と、
前記アクチュエーター本体（３２２）の前端で前記出没可動機（３２３）によって出没動作され、アームピン（３１１）によって前記昇降アーム（３１０）と連結される可動ピストン（３２１）と、
を備えた電動折り畳みベッドにおいて、
前記背支え部（２２０）と前記ベッドフレーム（１２０）との間に人体が挟まれた場合、前記昇降アクチュエーター（３２０）による下降力に対して、前記背支え部（２２０）と前記ベッドフレーム（１２０）との間に昇降隙間を確保するための背支え挟み防止手段をさらに備えることを特徴とする、電動折り畳みベッド。
【請求項２】
前記背支え挟み防止手段は、
前記昇降アクチュエーター（３２０）の前記可動ピストン（３２１）に形成され、前記背支え部（２２０）の下降動作時、前記昇降隙間を形成するように、前記昇降アーム（３１０）の前記アームピン（３１１）を前記可動ピストン（３２１）の長手方向にスライディングするようにガイドするアームスライディング部（１０）からなることを特徴とする、請求項１に記載の電動折り畳みベッド。
【請求項３】
前記アームピン（３１１）と前記可動ピストン（３２１）の端部との間に、前記アームスライディング部（１０）を設けたことよる前記背支え部（２２０）の揺動を弾性的に制限するための弾性部材からなる揺動抑制具（２０）を設けたことを特徴とする、請求項２に記載の電動折り畳みベッド。
【発明の詳細な説明】
【技術分野】
【０００１】
本発明は、電動折り畳みベッド（Folder type bed）に関し、さらに詳細には、携帯用電動折り畳みベッドにおいて、昇降アクチュエーターによる下降力に対して背支え部に昇降隙間を確保させる背支え挟み防止手段を設け、背支え部の下降動作の過程において背支え部とベッドフレームとの間に使用者の身体が挟まれて怪我をする事故を防止することができる電動折り畳みベッドに関する。
【背景技術】
【０００２】
一般的に、携帯用折り畳みベッドは、家庭で使用されるベッドを自由に携帯及び移動できるように中央部分を折ることができるように構成されている。
【０００３】
かかる携帯用折り畳みベッドは、中央支持台を中心として両側に折り畳みバネによって弾性的に折り畳み可能に結合されるベッドフレームと、前記両ベッドフレームの上部にそれぞれ設置されるベッド部及び背支え部と、前記ベッドフレームの外側の両方の下部に備えられた支持脚とから構成される。
【０００４】
一方、前記のような携帯用折り畳みベッドは、使用者の必要に応じて背支え部の角度を調節できるように構成されていて、前記角度の調節を電動操作できるようにした携帯用電動折り畳みベッドが開発されて使用されている。
【０００５】
このように電動操作できるようにした携帯用電動折り畳みベッドは、背支え部の背面後面に連結された昇降アームと、前記昇降アームに連結されて背支え部を昇降動作させる昇降アクチュエーターと、前記昇降アクチュエーターの動作を制御する昇降具とで構成される。
【０００６】
さらに、前記昇降アクチュエーターは、出没可動機を備えたアクチュエーター本体と、前記アクチュエーター本体の前端から出没可動機によって出没動作される可動ピストンとから構成されるものである。前記出没可動機は、駆動モータとネジ軸とから構成されて可動ピストンを出没動作させるネジ軸可動機と、流空圧によって可動ピストンを出没動作させる可動機とから構成されるが、大部分はその適用の容易なネジ軸可動機を適用して実施している。
【発明の開示】
【発明が解決しようとする課題】
【０００７】
しかし、前記のような従来の携帯用電動折り畳みベッドでは、昇降アクチュエーターの可動ピストンと昇降アームとが、アームピンによって揺動隙間無く固定的に連結されるように構成されていた。このため、背支え部の下降動作の過程において背支え部とベッドフレームとの間に使用者の身体が挟まれると、使用者の身体に昇降アクチュエーターの昇降力が直接作用されて負傷してしまうという問題点があった。
【０００８】
そこで、本発明は、上記問題に鑑みてなされたものであり、本発明の目的とするところは、上述のように電動折り畳みベッドの背支え部の下降動作の過程において、使用者の身体が背支え部とベッドフレームの間に挟まれて怪我をすることを防止可能な、新規かつ改良された電動折り畳みベッドを提供することにある。
【課題を解決するための手段】
【０００９】
上記課題を解決するために、本発明のある観点によれば、中央支持台（１１０）と、前記中央支持台（１１０）の両側に、折り畳みバネ（２３０）によって弾性的に折り畳み可能に結合されるベッドフレーム（１２０）と、前記両ベッドフレーム（１２０）の上部にそれぞれ配されるベッド部（２１０）及び背支え部（２２０）と、前記ベッドフレーム（１２０）の下部に設けられた支持脚（１３０）と、前記背支え部（２２０）の背面に設置された昇降アーム（３１０）と、前記昇降アーム（３１０）と連結されて、前記背支え部（２２０）を昇降動作させる昇降アクチュエーター３２０と、前記昇降アクチュエーター（３２０）の動作を制御する昇降操作具（３３０）と、を備え、前記昇降アクチュエーター（３２０）は、出没可動機（３２３）を備えたアクチュエーター本体（３２２）と、前記アクチュエーター本体（３２２）の前端で前記出没可動機（３２３）によって出没動作され、アームピン（３１１）によって前記昇降アーム（３１０）と連結される可動ピストン（３２１）と、を備えた電動折り畳みベッドにおいて、前記背支え部（２２０）と前記ベッドフレーム（１２０）との間に人体が挟まれた場合、前記昇降アクチュエーター（３２０）による下降力に対して、前記背支え部（２２０）と前記ベッドフレーム（１２０）との間に昇降隙間を確保するための背支え挟み防止手段をさらに備えることを特徴とする、電動折り畳みベッドが提供される。
【００１０】
また、前記背支え挟み防止手段は、前記昇降アクチュエーター（３２０）の前記可動ピストン（３２１）に形成され、前記背支え部（２２０）の下降動作時、前記昇降隙間を形成するように、前記昇降アーム（３１０）の前記アームピン（３１１）を前記可動ピストン（３２１）の長手方向にスライディングするようにガイドするアームスライディング部（１０）からなるようにしてもよい。
【００１１】
さらに、前記アームピン（３１１）と前記可動ピストン（３２１）の端部との間に、前記アームスライディング部（１０）を設けたことよる前記背支え部（２２０）の揺動を弾性的に制限するための弾性部材からなる揺動抑制具（２０）を設けるようにしてもよい。
【００１２】
すなわち、本発明は、携帯用電動折り畳みベッドにおいて、昇降アクチュエーターによる下降力に対し、背支え部が昇降隙間を確保するようにする背支え挟み防止手段を備えたものである。
【発明の効果】
【００１３】
以上説明したように本発明によれば、昇降アクチュエーターに背支え挟み防止手段を設けることによって、背支え部の下降過程において、背支え部とベッドフレームとの間に使用者の身体が挟まれたとき、背支え部とベッドフレームとの間に昇降隙間を確保して、怪我を防止できる。
【発明を実施するための最良の形態】
【００１４】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１５】
（第１の実施形態）
以下に、図１〜図５を参照して、本発明の第１の実施形態にかかる携帯用電動折り畳みベッドについて説明する。
【００１６】
本実施形態にかかる携帯用電動折り畳みベッドは、背支え部２２０の下降動作の過程で、使用者が背支え部２２０とベッドフレーム１２０との間に挟まれて怪我をすることを防止できるものである。
【００１７】
図１及び図２に示すように、本実施形態にかかる折り畳みベッドは、中央支持台１１０と、中央支持台１１０を中心として両側に配設され、折り畳みバネ２３０により弾性的に折り畳み可能に中央支持台１１０に結合される２つのベッドフレーム１２０と、各ベッドフレーム１２０の上部にそれぞれ結合されるベッド部２１０及び背支え部２２０と、ベッドフレーム１２０の外側の両端部の下部に設けられてベッドフレーム１２０を支持する支持脚１３０と、背支え部２２０の背面に設置された昇降アーム３１０と、昇降アーム３１０に連結されて背支え部２２０を昇降動作させる昇降アクチュエーター３２０と、昇降アクチュエーター３２０の動作を制御するための昇降操作具３３０と、から構成される。
【００１８】
折り畳みバネ２３０は、その一端が、水平配置された略矩形枠状の各ベッドフレーム１２０の端部中央に結合され、その他端が、起立配置された略矩形枠状の中央支持台１１０の下部中央に結合される。各ベッドフレーム１２０の内側両端部と中央支持台１１０の上側両端部とは、例えばヒンジ結合されており、中央支持台１１０の両側にある一対のベッドフレーム１２０を、中央支持台１１０を中心として谷折りするようにして折り畳むことができる。ベッド部２１０及び背支え部２２０は、例えば、略矩形状のマットレスからなり、各ベッドフレーム１２０上に載置・固定される。
【００１９】
図３と図４に示すように、昇降アクチュエーター３２０は、出没可動機３２３を備えたアクチュエーター本体３２２と、アクチュエーター本体３２２の前端で出没可動機３２３によってアクチュエーター本体３２２に対して出没動作され、アームピン３１１によって昇降アーム３１０と連結される可動ピストン３２１とで構成される。昇降アクチュエーター３２０は、図１及び図５に示すように、上体側のベッドフレーム１２０に設けられた支持棒に対して、アクチュエーター本体３２２の後端部が連結されている。
【００２０】
かかる携帯用電動折り畳みベッドは、背支え部２２０とベッドフレーム１２０との間に人の体が挟まれる場合、昇降アクチュエーター３２０による下降力に対して背支え部２２０に昇降隙間を確保する背支え挟み防止手段を備える。
【００２１】
ここで、背支え挟み防止手段は、図３と図４に示されたように、昇降アクチュエーター３２０の可動ピストン３２１に、可動ピストン３２１の長手方向に沿って形成された貫通孔又は溝部であるアームスライディング部１０を設けることで構成される。このアームスライディング部１０は、背支え部２２０の下降動作時に、背支え部２２０とベッドフレーム１２０との間に昇降の方向の昇降隙間を有するように、昇降アーム３１０のアームピン３１１を可動ピストン３２１の長手方向にスライドするようガイドするものである。
【００２２】
一方、アームスライディング部１０は、例えば、可動ピストン３２１を側方向に貫通形成したスライディング孔で構成される、或いは、可動ピストン３２１に一定の深さの長手方向の溝を形成したスライディング溝で構成されることができる。
【００２３】
また、本実施形態では、図５に示すように、アームスライディング部１０による背支え部２２０の上部の揺動を弾性的に制限できるように、バネ等の弾性部材からなる揺動抑制具２０を、アームピン３１１と可動ピストン３２１の端部に形成された突起３２４との間に架け渡すように配設してもよい。この揺動抑制具２０は、例えば、揺動抑制バネで構成することが好ましい。かかる揺動抑制具２０を設けることで、可動ピストン３２１のアームスライディング部１０内で長手方向にスライドするアームピン３１１に対し、弾性力を付与できる。
【００２４】
以下、本実施形態にかかる折り畳みベッドの動作について説明する。前記のように構成された携帯用電動折り畳みベッドにおいて、背支え部２２０とベッドフレーム１２０との間に人体が挟まれた場合、昇降アクチュエーター３２０による下降力に対して、背支え部２２０とベッドフレーム１２０との間に昇降隙間を確保させるための背支え挟み防止手段を備えている。この背支え挟み防止手段は、昇降アクチュエーター３２０の可動ピストン３２１にアームスライディング部１０を形成したものであり、このアームスライディング部１０は、背支え部２２０の下降動作時に、昇降方向の昇降隙間を形成するように、昇降アーム３１０のアームピン３１１を、可動ピストン３２１の長手方向にスライディングされるようにガイドするものである。かかる本実施形態では、昇降可能な背支え部２２０を下降動作させると、昇降アクチュエーター３２０の可動ピストン３２１がアクチュエーター本体３２２から突出動作しながら、昇降アーム３１０を引っ張り、背支え部２２０を下降動作させる。
【００２５】
この際、背支え部２２０とベッドフレーム１２０との間に人体が挟まれると、可動ピストン３２１の突出動作によって下降されていた背支え部２２０が人体と接触し、それ以上下降されないようになり、可動ピストン３２１の突出によって、可動ピストン３２１の先端側にあったアームピン３１１がスライディング部１０内をアクチュエーター本体３２２側に向けてスライディング移動して相殺される。これにより、背支え部２２０とベッドフレーム１２０との間に昇降空間を確保することができるため、昇降アクチュエーター３２０の下降力が背支え部２２０とベッドフレーム２２０との間に挟まれた人体に作用しないので、人体の負傷を防止できる。
【００２６】
また、図５に示す変更例のように、アームピン３１１と可動ピストン３２１との端部の突起３２４との間に揺動抑制具２０を懸架することで、スライディング部１０内をスライド可能なアームピン３１１に弾性力を付与できる。従って、背支え部２２０の昇降動作過程において、アームスライディング部１０による背支え部２２０の揺れを防止することができる。
【００２７】
以上説明したように、本実施形態にかかる折り畳み式ベッドは、昇降アクチュエーター３２０に背支え挟み防止手段を設けることによって、背支え部２２０の下降過程において、背支え部２２０とベッドフレーム１２０との間に使用者の人体部位が挟まれたとき、背支え部２００を持ち上げるようにして隙間を確保できるので、人体部位が挟まれて怪我することを防止できる。
【００２８】
そして、前記アームピン３１１と可動ピストン３２１の端部間に揺動抑制具２０を設けることによって、前記背支え挟み防止手段であるアームスライディング部１０を設けることにより生じる背支え部２２０の揺れを防止することができ、非常に有用である。
【００２９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図面の簡単な説明】
【００３０】
【図１】一般的な携帯用電動折り畳みベッドを示す分解斜視図である。
【図２】一般的な携帯用電動折り畳みベッドを示す斜視図である。
【図３】本発明の一実施形態に係る折り畳みベッドにおける昇降アームと昇降アクチュエーターを示す部分斜視図である。
【図４】同実施形態に係る折り畳みベッドにおける昇降アームと昇降アクチュエーターを示す断面図である。
【図５】本発明の他の実施形態に係る折り畳みベッドにおける揺動抑制具を例示する側面図である。
【符号の説明】
【００３１】
１０：アームスライディング部
２０：揺動抑制具
１１０：中央支持台
１２０：ベッドフレーム
１３０：支持脚
２１０：ベッド部
２２０：背支え部
２３０：折り畳みバネ
３１０：昇降アーム
３１１：アームピン
３２０：昇降アクチュエーター
３２１：可動ピストン
３２２：アクチュエーター
３２３：出没可動機
３２４：突起
３３０：昇降操作具
【図１】
2009233295.tif 000003
【図２】
2009233295.tif 000004
【図３】
2009233295.tif 000005
【図４】
2009233295.tif 000006
【図５】
2009233295.tif 000007